(57)【要約】【課題】  フェース面の角度のずれが転がる方向に敏感に反映され、且つ実際のゴルフボールに近い感触でパッティングの練習が可能なパッティング練習用ボールを提供することにある。【解決手段】  球形のボール本体の周方向に渡って帯状の略平坦部を備え、略平坦部が、ボール本体よりも大きな半径の突出円弧を有するパッティング面を形成し、略平坦部の円弧の半径が３０ｍｍ〜２００ｍｍであり、略平坦部の帯状の幅が１０ｍｍ〜２０ｍｍであることを特徴とする。【選択図】図１
2014079310.tif 000002
【特許請求の範囲】
【請求項１】
ゴルフのパッティング練習用ボールにおいて、
球形のボール本体の周方向に渡って帯状の略平坦部を備え、
該略平坦部が、該ボール本体よりも大きな半径の突出円弧を有するパッティング面を形成することを特徴とするパッティング練習用ゴルフボール。
【請求項２】
前記略平坦部の円弧の半径が、３０ｍｍ〜２００ｍｍであることを特徴とする請求項１記載のパッティング練習用ゴルフボール。
【請求項３】
前記略平坦部の帯状の幅が、１０ｍｍ〜２０ｍｍであることを特徴とする請求項１又は請求項２記載のパッティング練習用ゴルフボール。
【請求項４】
前記略平坦部に、該略平坦部の帯状の長手方向に沿って伸びるマーキングを備えることを特徴とする請求項１〜請求項３のいずれかに記載のパッティング練習用ゴルフボール。
【請求項５】
前記略平坦部を、前記ボール本体の該平坦部以外の部分の色と異なる色で着色したことを特徴とする請求項１〜請求項３のいずれかに記載のパッティング練習用ゴルフボール。
【請求項６】
前記略平坦部に、該略平坦部の帯状の長手方向に沿って伸びる凹部を備えることを特徴とする請求項１〜請求項３のいずれかに記載のパッティング練習用ゴルフボール。
【請求項７】
前記ボール本体の半径が２１．３３５ｍｍ以上で、重さが４５．９３ｇ以下であることを特徴とする請求項１〜請求項６のいずれかに記載のパッティング練習用ゴルフボール。
【発明の詳細な説明】
【技術分野】
【０００１】
本発明は、ゴルフのパッティング練習用ボールに関する。
【背景技術】
【０００２】
従来より、ゴルフのパッティングの練習を行うための用具が、提案されている。例えば、特許文献１に示すようなゴルフボールがある。特許文献１のゴルフボールは、打つべき点や打つべき方向を表面に明示したものである。ゴルフボールの表面に、求められる特性に応じた、最適打撃点、及び又は、最適打撃方向を明示することで、正しくゴルフボールを打たないことによるゴルフボール表面のディンプルに起因する、ゴルフボールの好ましからざる挙動を最小にすることを目的にする。
【０００３】
また、特許文献２に示すようなゴルフ補助器具もある。特許文献２のゴルフ補助器具は、同じ半径の２個の球体を、半球よりも大きい球形である部分球体の状態で接合している。すなわち互いに接合された部分球体は、円形の弦に沿って互いに隣接しており、共軸を共有している。
【先行技術文献】
【特許文献】
【０００４】
【特許文献１】特開２００５−２５３５４６号公報
【特許文献２】特表２００４−５１９２９２号公報
【発明の概要】
【発明が解決しようとする課題】
【０００５】
しかしながら、従来のゴルフのパッティングの練習を行うための用具で、ボールと同じ球で単に矢印を示しただけのものでは、パッティングする方向の目安はわかるものの、実際に正しいパターのフェース面の角度でパッティングできたか否かを推し量ることはできない。特に、用具が単なる球形の場合、ある程度の力でパッティングしてしまうと、フェース面の角度が多少ずれていても、ほぼまっすぐな方向に転がってしまい、微妙なフェース面の角度のずれを正しく把握することができない。その結果、そのずれがパッティングのずれとして、実際のゴルフ場の芝のグリーン上では、ゴルフボールが曲がって転がってしまう等の結果を生んでしまう。
【０００６】
確かに、２個の部分球体を接合した用具では、単なる球体に比べて、フェース面の角度のずれが転がる方向に敏感に影響を及ぼすため、パッティングの練習には好ましいが、実際のゴルフボールに比べ横幅が長く、且つ用具自体のパッティング点が２カ所あり、実際のゴルフボールとは、パッティングした時の感触が異なってしまうという課題がある。
【０００７】
本発明は、このような事情に鑑みてなされたもので、フェース面の角度のずれが転がる方向に敏感に反映され、且つ実際のゴルフボールに近い感触でパッティングの練習が可能なパッティング練習用ボールを提供することにある。
【課題を解決するための手段】
【０００８】
請求項１記載のパッティング練習用ボールは、球形のボール本体の周方向に渡って帯状の略平坦部を備え、略平坦部が、ボール本体よりも大きな半径の突出円弧を有するパッティング面を形成することを特徴とする。
【０００９】
請求項２記載のパッティング練習用ボールは、略平坦部の円弧の半径が、３０ｍｍ〜２００ｍｍであることを特徴とする。
【００１０】
請求項３記載のパッティング練習用ボールは、略平坦部の帯状の幅が、１０ｍｍ〜２０ｍｍであることを特徴とする。
【００１１】
請求項４記載のパッティング練習用ボールは、略平坦部に、略平坦部の帯状の長手方向に沿って伸びるマーキングを備えることを特徴とする。
【００１２】
請求項５記載のパッティング練習用ボールは、略平坦部を、ボール本体の平坦部以外の部分の色と異なる色で着色したことを特徴とする。
【００１３】
請求項６記載のパッティング練習用ボールは、略平坦部に、略平坦部の帯状の長手方向に沿って伸びる凹部を備えることを特徴とする。
【００１４】
請求項７記載のパッティング練習用ボールは、ボール本体の半径が２１．３３５ｍｍ以上で、重さが４５．９３ｇ以下であることを特徴とする。
【発明の効果】
【００１５】
本願の発明によれば、球形のボール本体の周方向に渡って帯状の略平坦部を備え、略平坦部が、ボール本体よりも大きな半径の突出円弧を有するパッティング面を形成することから、パッティング面をパッティングしたときに、フェース面の角度のずれが転がる方向に敏感に反映され、且つ実際のゴルフボールに近い感触でパッティングの練習が可能である。
【図面の簡単な説明】
【００１６】
【図１】本発明に係るパッティング練習用ボールの一例を示す平面図である。
【図２】同パッティング練習用ボールを示す斜視図である。
【図３】同パッティング練習用ボールの略平坦部のパッティング面を示す説明図である。
【図４】同パッティング練習用ボールの使用方法を示す説明図である。
【図５】同パッティング練習用ボールの他の例を示す斜視図である。
【発明を実施するための形態】
【００１７】
以下、本発明の形態について図面を参照しながら具体的に説明する。図１は、本発明に係るパッティング練習用ボールの一例を示す平面図である。図２は、同パッティング練習用ボールを示す斜視図である。図３は、同パッティング練習用ボールの略平坦部のパッティング面を示す説明図である。図４は、同パッティング練習用ボールの使用方法を示す説明図である。図５は、同パッティング練習用ボールの他の例を示す斜視図である。
【００１８】
図におけるパッティング練習用ボール１は、ゴルフのパッティングの練習用のボールである。パッティング練習用ボール１は、球形のボール本体１０の周方向に渡って帯状の略平坦部１２を備えている。そして、略平坦部１２は、ボール本体１０よりも大きな半径の突出円弧を有するパッティング面１２ａを形成している。
【００１９】
パッティング練習用ボール１の大きさは、特に限られるものではないが、通常のゴルフボールと同等のボール本体１０の半径が２１．３３５ｍｍ程度（通常のボールの規格は２１．３３５ｍｍ以上）が好ましい。また、パッティング練習用ボール１の材質は、硬質ゴム、金属、合成樹脂、木材等、特にこだわるものではないが、本来のゴルフボールに近いものが好ましい。さらに、重さについても、特に限られるものではないが、通常のゴルフボールと同等の４５．９３ｇ程度（通常のボールの規格は４５．９３ｇ以下）が好ましい。
【００２０】
そして、略平坦部１２の帯状の幅は、１０ｍｍ〜２０ｍｍである。また、略平坦部１２の円弧の半径Ｒは、３０ｍｍ〜２００ｍｍである。実際のパッティング練習用ボール１においては、略平坦部１２の円弧の半径Ｒが異なる何種類かのパッティング練習用ボール１を作ることが可能であり、例えば、１５０ｍｍ（図３におけるＡ）、１２０ｍｍ（図３におけるＢ）、１００ｍｍ（図３におけるＣ）、８０ｍｍ（図３におけるＤ）、５０ｍｍ（図３におけるＥ）等の種類である。この略平坦部１２の円弧の半径の違いにより、パッティングの練習の難易度が変わることになる。具体的には、略平坦部１２の円弧の半径の値が大きいほど、パッティング面１２ａが平坦に近くになり、難易度が増す。
【００２１】
次に、パッティング練習用ボール１の使用方法（練習方法）を説明する。図４に示すように、基本的には、通常のゴルフボールと同様に、パッティング練習用ボール１をパター７でパッティングすることにより、パッティングの練習を行う。但し、本実施の形態のパッティング練習用ボール１においては、略平坦部１２のパッティング面１２ａをパター７のフェース面８で打つようにする。
【００２２】
図４（ａ）に示すように、略平坦部１２の帯の向きを目安に、パッティング練習用ボール１を、パッティング面１２ａとフェース面８との角度（図４（ａ）の角度ａ）が生じないようにパッティングすると、パッティング練習用ボール１は、矢印の方向にまっすぐに転がる。
【００２３】
これに対し、図４（ｂ）や図４（ｃ）に示すように、パッティング面１２ａとフェース面８との角度（図４（ｂ）の角度ｂや図４（ｃ）の角度ｃ）がわずかでも生じると、それぞれの方向にパッティング練習用ボール１は曲がって転がってしまう。このように曲がって転がらないように、練習することで、正しいパッティングの練習が可能となる。
【００２４】
このように、本実施の形態のパッティング練習用ボール１によれば、球形のボール本体１０の周方向に渡って帯状の略平坦部１２を備え、略平坦部１２が、ボール本体１０よりも大きな半径の突出円弧を有するパッティング面１２ａを形成することから、パッティング面１２ａをパッティングしたときに、フェース面８の角度のずれが転がる方向に敏感に反映され、且つ実際のゴルフボールに近い感触でパッティングの練習が可能である。
【００２５】
特に、略平坦部１２の円弧の半径が、実際のゴルフボールの半径より大きな３０ｍｍ〜２００ｍｍであることで、フェース面８の角度のずれが転がる方向に敏感に反映される。具体的には、半径が大きいほど、フェース面８の角度のずれが小さくても、曲がりやすい。
【００２６】
また、略平坦部１２の帯状の幅が、１０ｍｍ〜２０ｍｍであることから、実際のゴルフボールをパッティングしたときの感触とほとんど違いの無い感触でパッティングの練習が可能である。さらに、ボール本体１０の半径を２１．３３５ｍｍ以上、重さを４５．９３ｇ以下にすることで、実際のゴルフボールをパッティングしたときの感触とほとんど違いの無い感触でパッティングの練習が可能である。
【００２７】
尚、図５（ａ）〜（ｄ）に示すように、略平坦部１２に着色やマーキング１４や凹部１６を設けることも可能である。具体的には、図５（ａ）のパッティング練習用ボール２では、略平坦部１２を、ボール本体１０の平坦部１２以外の部分の色と異なる色で着色している。また、図５（ｂ）のパッティング練習用ボール３では、略平坦部１２に、略平坦部１２の帯状の長手方向に沿って伸びるマーキング１４を備えている。さらに、図５（ｃ）のパッティング練習用ボール４では、略平坦部１２に、略平坦部１２の帯状の長手方向に沿って伸びる凹部１６を備えている。さらに、図５（ｄ）のパッティング練習用ボール５では、略平坦部１２に、略平坦部１２の帯状の長手方向に沿って伸びる凹部１６を備えると共に、凹部１６にマーキング１４がなされている。このように、略平坦部１２に、着色やマーキング１４や凹部１６を備えることで、パッティングの方向を見極めながら練習が可能である。
【産業上の利用可能性】
【００２８】
以上のように、本発明によれば、フェース面の角度のずれが転がる方向に敏感に反映され、且つ実際のゴルフボールに近い感触でパッティングの練習が可能なパッティング練習用ボールを提供することができる。
【符号の説明】
【００２９】
１〜５・・・パッティング練習用ボール
７・・・・・パター
８・・・・・フェース面
１０・・・・ボール本体
１２・・・・略平坦部
１２ａ・・・パッティング面
１４・・・・マーキング
１６・・・・凹部
【図１】
2014079310.tif 000003
【図２】
2014079310.tif 000004
【図３】
2014079310.tif 000005
【図４】
2014079310.tif 000006
【図５】
2014079310.tif 000007